(57)【特許請求の範囲】
【請求項１】
作業ステージ板の左右両端に支持脚が回転枢着金具によって開閉可能に枢着された作業台を左右方向に並べて連結する作業台連結装置であって、連結すべき両作業台を互いに接近させた位置で両作業台間にあって各作業ステージ板と面一に介在する連結具を備え、この連結具と前記両作業台とを連結手段によって着脱可能に連結するようにし、前記連結具は、少なくとも連結される両作業台の作業ステージ板間の隙間を面一に塞ぐ繋ぎ部材と、該繋ぎ部材の前後に設けられる一対の連結板とからなり、前記連結手段は連結用シャフトを備え、各作業台の回転枢着金具の作業ステージ板側取付板にシャフト挿通孔を設けると共に、前記連結具の連結板には、連結される一方の作業台の回転枢着金具のシャフト挿通孔に対応する孔と他方の作業台の回転枢着金具のシャフト挿通孔に対応する孔とを左右方向に隣接して設け、連結板の両孔と両作業台側の両シャフト挿通孔とに夫々連結用シャフトを挿通して、前記連結具と前記両取付板とを連結するようにし、この際に、連結すべき両作業台の互いの対向する側の両支持脚のうち、何れか一方の支持脚を上記回転枢着金具によって作業ステージ板の裏面側に折り畳むことによって前記一方の作業ステージ板側の取付板に設けたピン穴からばねに付勢されて突出するピンが前記支持脚側の取付板の係合ピン穴に係合し、これによってその閉脚状態が維持されるようになっている作業台連結装置。
【請求項２】
前記連結具の連結板の下端部外周縁には、連結される両作業台の回転枢着金具の取付板端縁が支持される支持壁部を作業台幅方向に所要幅をもって形成した請求項１に記載の作業台連結装置。
【発明の詳細な説明】
【０００１】
【発明の属する技術分野】
本発明は建築作業や屋内作業等に使用される作業台の連結装置に関し、特に、作業ステージ板の左右両端に支持脚が回転枢着金具によって開閉可能に連結されている作業台をその長手方向である左右方向に並べて連結するための作業台連結装置に関する。
【０００２】
【従来の技術】
上記作業台は、通常は支持脚が作業ステージ板に対し直角より大きな角度で開脚するように取り付けられた略台形状のもので、本来単独で使用する場合が多いが、屋内作業等では長手方向に複数並べて使用する機会も多い。しかして、長手方向に並べて使用する場合、直角より大きな角度で開脚する支持脚が作業台の端部で互いに渉して、作業ステージ板間に大きな隙間ができる不都合がある。このため、従来では、隣合う２つの作業台の作業ステージ板間に補助天板を架け渡して連結している。
【０００３】
上記のように２つの作業台の作業ステージ板間に補助ステージ板を架け渡して連結するために、本発明の出願人は、特許第２９９７４２７号公報に記載されているように、作業ステージ板と支持脚とを開閉可能に連結する回転枢着金具の作業ステージ板側取付板にシャフト挿通孔を形成し、このシャフト挿通孔にシャフトを挿通して、シャフトの両端部を作業ステージ板の前後両端縁から突出させ、このシャフトの突出端部を利用してこれに保持天板を着脱可能に懸架するようにした作業台を提供した。
【０００４】
【発明が解決しようとする課題】
これによれば、連結する作業台の作業ステージ板間に生じる隙間の問題は解消されるが、専用の補助ステージ板が必要となり、この補助ステージ板は作業台の連結時しか使用しないため、設備コストが高くつくと云う問題がある。そこで、本発明は、専用の補助ステージ板を用いることなく、２つの作業台の隣合う作業ステージ板相互を直接連結できる、構造簡単で連結操作が容易な作業台連結装置を提供することを目的とする。
【０００５】
【課題を解決するための手段】
請求項１に係る発明の作業台連結装置は、作業ステージ板３の左右両端に支持脚４が回転枢着金具５によって開閉可能に枢着された作業台１を左右方向に並べて連結する作業台連結装置であって、連結すべき両作業台１，１を互いに接近させた位置で両作業台１，１間にあって各作業ステージ板３，３と面一に介在する連結具２を備え、この連結具２と前記両作業台１，１とを連結手段Ｓによって着脱可能に連結するようにし、前記連結具２は、少なくとも連結される両作業台１，１の各作業ステージ板３，３間の隙間を面一に塞ぐ繋ぎ部材１９と、該繋ぎ部材１９の前後に設けられる一対の連結板１６，１６とからなり、前記連結手段Ｓは連結用シャフト１５を備え、各作業台１の回転枢着金具５の作業ステージ板側取付板６にシャフト挿通孔１４を設けると共に、前記連結具２の連結板１６には、連結される一方の作業台１の回転枢着金具５のシャフト挿通孔１４に対応する孔１７と他方の作業台１の回転枢着金具５のシャフト挿通孔１４に対応する孔１８とを左右方向に隣接して設け、連結板１６の両孔１７，１８と両作業台１，１側の両シャフト挿通孔１４，１４とに夫々連結用シャフト１５を挿通して、連結板１６と前記両取付板６，６とを連結するようにし、この際に、連結すべき両作業台１，１の互いの対向する側の両支持脚４，４のうち、何れか一方の支持脚４を上記回転枢着金具５によって作業ステージ板３の裏面側に折り畳むことによって前記一方の作業ステージ板側の取付板６に設けたピン穴１１からばねに付勢されて突出するピン１２が前記支持脚４側の取付板７の係合ピン穴１３ａに係合し、これによってその閉脚状態が維持されるようになっている構成からなるものである。
【０００６】
請求項２に係る発明の作業台連結装置は、前記連結具２の連結板１６の下端部外周縁には、連結される両作業台１，１の回転枢着金具５の取付板６端縁が支持される支持壁部２０を作業台幅方向に所要幅をもって形成してなる請求項１に記載の構成からなるものである。
【０００７】
【発明の実施の形態】
図１は、２つの作業台１，１をその長手方向である左右方向に並べて本発明の作業台連結装置２により連結した状態を示すもので、（Ａ）は平面図、（Ｂ）は正面図である。図２は両作業台１，１を連結する連結装置の外観斜視図、図３はその拡大詳細正面図である。各作業台１は、作業ステージ板３と、その左右両端に回転枢着金具５によって開閉可能に取り付けられた支持脚４，４とからなるもので、各支持脚４は、作業ステージ板３の下面に折り畳んで閉脚姿勢と、作業ステージ板３に対し直角より大きな角度で開いた開脚姿勢との間で開閉可能となっている。２つの作業台１，１を連結具２で連結する際には、図１の（Ｂ）に示すように、両作業台１，１の隣接する支持脚４，４の何れか一方が閉脚姿勢に折り畳まれる。
【０００８】
各作業台１の作業ステージ板３は、左右一対の足場板本体３ａ，３ｂを長さ方向に相対移動自在に連結した伸縮足場板からなるもので、図１では両足場板本体３ａ，３ｂが伸張した状態を示し、図２では両足場板本体３ａ，３ｂが収縮した状態を示している。各支持脚４は、梯子状の脚本体４ａと、この脚本体４ａに伸縮可能に連結された一対の伸縮支柱４ｂ，４ｂとからなる。作業ステージ板３及び支持脚４は夫々アルミ型材で形成され、連結具２及び回転枢着金具５は夫々鋼板等にて形成される。
【０００９】
支持脚４を作業ステージ板３に開閉可能に取り付けている回転枢着金具５は、図４に示すように、作業ステージ板３に固定した取付板６の外側に支持脚４に固定した取付板７を重合させ、これら取付板６，７を枢支軸８によって枢着したものである。詳細には、取付板６の作業ステージ板３に対する取付部６ａの下端縁に、作業ステージ板３の端から適当範囲に亘って少し斜め下方に傾斜するように当り面９が形成されている。また、取付板７の支持脚４に対する取付部７ａの上端の作業ステージ板３中央側の一側から斜め上方へ略扇形の連結部７ｂが突出形成され、取付板７ｂの上端の他側はＬ字状に折曲されて開脚状態で取付板６の下端の当り面９が当接してそれ以上の回動を阻止する当り面１０が形成される。
【００１０】
また、取付板６の取付部６ａの下部には、枢支軸８から作業ステージ板３の端縁側に向けて斜め上方に適当距離の位置にピン穴１１が形成されている。このピン穴１１から取付板７に向けて突出するように図示しないばねによって付勢されたピン１２が設けられ、取付板７の連結部７ｂには支持脚４の開脚状態と閉脚状態とで夫々ピン穴１１に合致してピン１２が嵌入係合する係合ピン穴１３ａ，１３ｂが形成されている。そして、ピン１２を図示しない操作手段でばねの付勢力に抗して退入操作することによって支持脚４を開閉することができる。即ち、図３の図中右側または図４の（Ａ）に示す支持脚４は作業ステージ板３側の取付板６のピン穴１１からばねに付勢されて突出するピン１２が支持脚４側の取付板７の係合ピン穴１３ａに係合することによってその開脚状態を維持するようになっており、また図３の図中左側または図４の（Ｂ）に示す支持脚４は作業ステージ板３側の取付板６のピン穴１１からばねに付勢されて突出するピン１２が支持脚４側の取付板７の係合ピン穴１３ｂに係合することによってその閉脚状態を維持するようになっている。
【００１１】
更に、取付板６の取付部６ａの外側上端部にはシャフト挿通孔１４が形成され、その斜め下方にキー溝状の切欠部１４ａが形成されている。そして、図２及び図３に示すように、連結具としての連結用シャフト１５を取付板６のシャフト挿通孔１４を通して作業ステージ板３の端部側を前後方向に貫通させることができるようになっている。連結用シャフト１５の両端部には、図６に示すように、シャフト挿通孔１４の切欠部１４ａを通過可能な係合ピン１５ａが互いに９０°位相を異ならせて突設されている。
【００１２】
連結具２は、図２、図３、図５及び図６に示すように、連結すべき２つの作業台１，１の一方の作業台１の回転枢着金具５の作業ステージ板側取付板６と他方の作業台１の回転枢着金具５の作業ステージ板側取付板６とを互いに接近させた位置で連結する連結板１６を前後一対備え、各連結板１６には、連結される一方の作業台１の回転枢着金具５の取付板６に設けてあるシャフト挿通孔１４に対応する孔１７と、他方の作業台１の回転枢着金具５の取付板６に設けてあるシャフト挿通孔１４に対応する孔１８との２つの孔が左右方向に隣接して設けられ、各孔１７にはシャフト挿通孔１４の切欠部１４ａと対応する位置に同様な切欠部１７ａ，１８ａが形成されている。
【００１３】
そして、図６に示すように、連結具２の前後一対の連結板１６，１６は、連結される両作業台１，１の作業ステージ板３，３間の隙間を面一に塞ぐように形成された繋ぎ部材１９と両作業台１，１の先端円弧状部６ｂ，６ｂ（図５）に当接する円弧状側壁部１９ａ，１９ａとによって断面略三角形状の筒状体の一体構造体に形成されている。連結具２を形成する連結板１６，１６、繋ぎ部材１９および円弧状側壁部１９ａ，１９ａは、夫々十分な強度と剛性を必要とすることから鋼板によって形成される。尚、各連結板１６は繋ぎ部材１９および側壁部１９ａの端部にビスａで取り付けてあるが、溶接で固着されてもよい。また連結板１６は、図３、図５〜図７に示すように概ね三角形状に形成されていて、その下端部の円弧状部１６ａ外周縁が作業台幅方向内向きに折曲されて所要幅の支持壁部２０を形成している。
【００１４】
上述のように両作業台１，１間に介在する連結具２は、その前後の連結板１６，１６が両作業台１，１の前後側面に当接し、その左右の側壁部１９ａ，１９ａが両作業台１，１の先端部端面６ｂ，６ｂに当接し、且つ繋ぎ部材１９が両作業台１，１の先端部上面に当接するため、作業台１，１間に安定よく支持されると共に、断面略三角形状の筒状体の一体構造体となっているため充分な強度を有する。なお、連結具２は、上記側壁部１９ａ，１９ａを特に必要としないが安定支持と充分な強度を発揮するためには備えることが好ましいことは云うまでもない。
【００１５】
上記のような構成よりなる連結具２を使用して２つの作業台１，１を連結するには、図５に例示するように、この連結具２を構成する両連結板１６，１６と繋ぎ部材１９との一体構造体を、先ず両作業台１，１のうち右側の作業台１の作業ステージ板３端部側に跨嵌させて、両連結板１６，１６が作業ステージ板３端部の回転枢着金具５の両取付板６，６を両側から挟み付けるように取り付ける。このとき、連結具２は、各連結板１６の下端円弧状部１６ａの内向き支持壁部２０が取付板７の取付部７ａの外側端縁に当接支持されると共に、繋ぎ部材１９の上端縁部１９ａが作業ステージ板３の端部に乗り上がって嵌合された状態に回転枢着金具５に取り付けられ、これによって各連結板１６の孔１８が各回転枢着金具５の取付板６のシャフト挿通孔１４と合致する。またこの場合、上記のように取付板７の外側端縁に当接支持される各連結板１６下端部の支持壁部２０が取付板６の板厚より十分に広い幅を有するから、両連結板１６，１６と繋ぎ部材１９との一体構造体からなる連結具２を作業台幅方向に若干移動させることができて、回転枢着金具５に対する取付位置の調整を行うことができる。
【００１６】
こうして連結具２を一方の作業台１に取り付けた後、図５に示すように、回転枢着金具５に設けたピン１２を両取付板６ａ，７ｂのピン穴１１および係合ピン穴１３ｂに係合させて一方側の支持脚４を作業ステージ板３の裏面側に折り畳んだ状態に閉脚させた他方（図の左側）の作業台１を接近させて、この作業ステージ板３端部の回転枢着金具５の両取付板６，６を、前記連結具２の両連結板１６，１６に挿入して取り付ける。このとき、各取付板６の取付部６ａの先端縁が繋ぎ部材１９の対向側面に当接係合すると共に、取付部６ａの下端縁が各連結板１６の下端円弧状部１６ａの内向き支持壁部２０に支持され（図７参照）、これによって各連結板１６の孔１７が各回転枢着金具５の取付板６のシャフト挿通孔１４と合致する。またこのとき、各連結板１６下端部の支持壁部２０が取付板６の板厚より十分に広い幅を有するから、図３の左側の作業台１を連結具２に対し作業台幅方向に若干移動調整することができる。
【００１７】
上記のように両作業台１，１を互いに連結する際には、作業ステージ板３の左右両端部の支持脚４のうち、互いに対向する連結側の作業台１，１の支持脚４，４のうち、一方側の支持脚４を作業ステージ板３の裏面側に折り畳んだ状態で両作業台３，３を互いに連結するようになっているため、各支持脚４を単独使用時に作業ステージ板３に対し直角より大きな角度で開いた状態で使用する場合にあっても、両作業台１，１の連結時には上述のようにその一方側の支持脚４を折り畳むことによって両作業台３，３間の隙間を出来るだけ少なくした状態で連結することができると共に、他方の支持脚４は開脚状態として連結部分の作業台３，３を支持するようになっているから両作業台３，３の連結部分での支持力が減退することはない。そしてこの際に折り畳まれる一方の支持脚４は前述のように作業ステージ板３側の取付板６のピン穴１１からばねに付勢されて突出するピン１２が支持脚４側の取付板７の係合ピン穴１３ｂに係合することによってその閉脚状態を維持されるようになっているため、折り畳まれる側の支持脚４が不測に動揺したり邪魔になることはない。
【００１８】
この後、連結板１６の孔１７，１８から回転枢着金具５側のシャフト挿通孔１４，１４とに連結用シャフト１５，１５を夫々挿通し、連結板１６と左右の回転枢着金具５，５の取付板６，６とを連結し、これによって両作業台１，１を連結する。尚、連結用シャフト１５の挿通にあたり、例えば、前後両連結板１６，１６の前部側連結板１６の孔１７及び前部側取付板６のシャフト挿通孔１４から後部側取付板６のシャフト挿通孔１４及び後部側連結板１６の孔１７へと連結用シャフト１５を挿通する際には、前部側の孔１７，１４の切欠部１７ａ，１４ａに一方の係合ピン１５ａを位置合わせして挿入した後、この連結用シャフト１５を９０°回転させて他方の係合ピン１５ａを後部側の孔１７，１４の切欠部１７ａ，１４ａに位置合わせしてそのまま挿入し、一方の係合ピン１５ａが取付板６の内面に当接したら、連結用シャフト１５を適当角度回転させることにより、両方の係合ピン１５ａが取付板６の内面に係合して不測に抜け出ないようにすることができる。
【００１９】
以上説明した実施形態では、連結手段Ｓが連結用シャフト１５からなる場合であって、各作業台１の回転枢着金具５の作業ステージ板側取付板６にシャフト挿通孔１４を設けると共に、連結具２を構成する連結板１６には、連結される一方の作業台１の回転枢着金具５のシャフト挿通孔１４に対応する孔１７と他方の作業台１の回転枢着金具５のシャフト挿通孔１４に対応する孔１８とを左右方向に隣接して設け、しかして両作業台１，１の連結にあたっては、一方の作業台１の作業ステージ板３端部側に連結具２の連結板１６を取り付け、その後にあらかじめ支持脚４を折り畳んで閉脚させた他方の作業台１を接近させて、この作業ステージ板３端部の回転枢着金具５の取付板６を連結具２の連結板１６に取り付け、連結板１６の両孔１７，１８と両作業台１，１側の両シャフト挿通孔１４，１４とに夫々連結用シャフト１５を挿通して、連結板１６と両作業台１，１側の両取付板６，６とを連結することによって、両作業台１，１を容易に連結することができる。また、この連結具２は、構造が簡単であるため、製作が容易で安価に提供することができるものである。
【００２０】
また、連結具２を構成する連結板１６は前後一対設けられるもので、両連結板１６，１６は、連結される両作業台１，１の作業ステージ板３，３間の隙間を塞ぐように形成された繋ぎ部材１９で繋がれているから、両作業台１，１の連結操作が一層容易に行えると共に、両作業台１，１の作業ステージ板３，３間に隙間がなくなって、使用中に作業者足を引っかけるようなことがなく、より安全に使用できる。
【００２１】
連結板１６と両作業台１，１側の両取付板６，６とを連結する着脱可能な連結具としては、以上の実施形態で説明した連結用シャフト１５の他に、ボルト・ナットを採用することができ、この場合には、連結板１６には左右一対のシャフト挿通孔１４，１４に代えて左右一対のボルト挿通孔を設け、また各作業台１の回転枢着金具５の取付板６にもボルト挿通品を設ける。
【００２２】
【発明の効果】
請求項１に係る発明によれば、作業ステージ板の左右両端に支持脚が回転枢着金具によって開閉可能に枢着された作業台を左右方向に並べて連結する作業台連結装置であって、連結すべき両作業台を互いに接近させた位置で両作業台間にあって各作業ステージ板と面一に介在する連結具を備え、この連結具と前記両作業台とを連結手段によって着脱可能に連結するようにしたから、簡単な構造の装置で２つの作業台を容易に連結することができる。
【００２３】
また本発明によれば、前記連結具は、連結される両作業台の作業ステージ板間の隙間を面一に塞ぐ繋ぎ部材と、該繋ぎ部材の前後に設けられる一対の連結板とからなるため、両作業台の連結操作が一層容易に行えると共に、両作業台の作業ステージ板間に隙間がなくなって、両作業台と連結具の表面が面一になっているため、使用中に作業者足を引っかけるようなことがなく、より安全に使用できる。
【００２４】
更にまた本発明によれば、前記連結手段が連結用シャフトを備えてなるもので、各作業台の回転枢着金具の作業ステージ板側取付板にシャフト挿通孔を設け、前記連結具の連結板には、一方の作業台の回転枢着金具のシャフト挿通孔に対応する孔と他方の作業台の回転枢着金具のシャフト挿通孔に対応する孔とを左右方向に隣接して設け、連結板の両孔と両作業台側の両シャフト挿通孔とに夫々連結用シャフトを挿通して、連結板と前記両取付板とを連結することにより、２つの作業台を一層簡単な操作で容易迅速に連結することができる。
【００２５】
更にまた本発明によれば、連結すべき両作業台の互いの対向する側の両支持脚のうち、何れか一方の支持脚を上記回転枢着金具によって作業ステージ板の裏面側に折り畳んだ状態で上記両作業台が上記連結手段によって連結されるようになっているから、各支持脚を単独使用時に作業ステージ板に対し直角より大きな角度で開いた状態で使用する場合にあっても、両作業台の連結時には上述のようにその一方側の支持脚を折り畳むことによって両作業台間の隙間を出来るだけ少なくした状態で連結することができると共に、他方の支持脚は開脚状態として連結部分の作業台を支持するようになっているから両作業台の連結部分での支持力が減退することはない。そしてこの際に折り畳まれる一方の支持脚は作業ステージ板側の取付板のピン穴からばねに付勢されて突出するピンが支持脚側の取付板の係合ピン穴に係合することによって作業ステージ板の裏面側にその折り畳まれた状態が維持されるようになっているため、折り畳まれる側の支持脚が不測に動揺したり邪魔になることはない。
【００２６】
請求項２に記載のように、連結板の下端部外周縁に、連結される両作業台の回転枢着金具の取付板端縁が支持される支持壁部を作業台幅方向に所要幅をもって形成したことにより、この支持壁部に回転枢着金具の取付板端縁を支持させた状態で、連結板側を回転枢着金具側に対し作業台幅方向に移動調整できて、取付位置の調整が行える。
【図面の簡単な説明】
【図１】  ２つの作業台をその長手方向である左右方向に並べて本発明の作  業台連結装置により連結した状態を示すもので、（Ａ）は平面図、（Ｂ）は正  面図である。
【図２】  両作業台を連結する連結装置の外観斜視図である。
【図３】  連結装置の拡大詳細正面図である。
【図４】  （Ａ）は開脚状態での作業台の回転枢着金具の正面図、（Ｂ）は  閉脚状態での作業台の回転枢着金具の正面図である。
【図５】  連結装置の使用状態を説明する正面図である。
【図６】  連結装置を構成する前後一対の連結板と繋ぎ部材とからなる連結  具並びに連結手段の一例である連結用シャフトを示す斜視図である。
【図７】  図３のＸ−Ｘ線断面図である。
【符号の説明】
１          作業台
２          連結具
３          作業ステージ板
４          支持脚
５          回転枢着金具
６          回転枢着金具の作業ステージ板側取付板
７          回転枢着金具の支持脚側取付板
Ｓ          連結手段
１４        シャフト挿通孔
１６        連結板
１７，１８  孔
１９        繋ぎ部材
【図１】
0003692270.tif 000002
【図２】
0003692270.tif 000003
【図３】
0003692270.tif 000004
【図４】
0003692270.tif 000005
【図５】
0003692270.tif 000006
【図６】
0003692270.tif 000007
【図７】
0003692270.tif 000008